(57)【特許請求の範囲】
【請求項１】
多数の入浴者が同時に利用する共同浴槽（３）と、一人の入浴者が利用する個別浴槽（７）とが設置された浴場設備であって、原水槽（１）から汲み上げた水を所定温度に加熱して湯として共同浴槽（３）へ供給する給湯ライン（Ａ）と、共同浴槽（３）から抜き出した利用済みの湯に消毒剤を添加し且つ当該湯を濾過して共同浴槽（３）へ還流する循環ライン（Ｂ）と、原水槽（１）から汲み上げた水を純水製造装置（６）によって純水に精製し且つ当該純水を所定温度に加熱して湯として個別浴槽（７）へ供給する第２の給湯ライン（Ｃ）と、個別浴槽（７）から抜き出した利用済みの湯に消毒剤を添加し且つ当該湯を濾過して共同浴槽（３）へ供給する再利用ライン（Ｄ）とを備え、循環ライン（Ｂ）及び再利用ライン（Ｄ）には、濾過装置（５ａ）、（５ｂ）がそれぞれ配置され、濾過装置（５ａ）、（５ｂ）は、上部に被処理水の導入口が設けられ且つ下部に濾過水の排出口が設けられた容器本体（５１）と、当該容器本体に装入されて容器本体内部を上下に仕切る濾材収容篭（５３）とを備え、当該濾材収容篭の上半部には、格子構造の底部を各備えた２つの受皿（５４）が重箱状に積み重ねられた状態で収容され、上段側の第１の受皿（５４ａ）には、第１のスポンジシート（５５１）が濾材として敷かれ、下段側の第２の受皿（５４ｂ）には、第１のスポンジシート（５５１）よりも低発泡の第２のスポンジシート（５５２）が濾材として敷かれていることを特徴とする浴場設備。
【請求項２】
第２の給湯ライン（Ｃ）の純水製造装置（６）が、逆浸透膜を利用した濾過装置である請求項１に記載の浴場設備。
【請求項３】
給湯ライン（Ａ）で得られた湯と循環ライン（Ｂ）で濾過された湯との間で熱交換する熱交換器（４）を備えている請求項１又は２に記載の浴場設備。
【請求項４】
再利用ライン（Ｄ）は、熱交換器（４）よりも上流側で循環ライン（Ｂ）に繋ぎ込まれている請求項３に記載の浴場設備。
【発明の詳細な説明】
【技術分野】
【０００１】
本発明は、浴場設備に関するものであり、詳しくは、多数の入浴者が同時に利用する共同浴槽と一人の入浴者が利用する個別浴槽とが設置された浴場設備であって、一層効率的に湯と熱を再利用できるようにした浴場設備に関するものである。
【背景技術】
【０００２】
公衆浴場では、水や熱を有効活用するため、多数の入浴者が同時に使用する共同浴槽において湯を循環利用している。一般的な浴場設備は、浴槽から湯を抜き出し、これに消毒剤を添加し且つ濾過処理を施した後、浴槽へ戻している（特許文献１〜３）。
【先行技術文献】
【特許文献】
【０００３】
【特許文献１】特開２００９−８２９１８
【特許文献２】特開２００６−１９２３７３
【特許文献３】特開平９−１１７３８２
【発明の概要】
【発明が解決しようとする課題】
【０００４】
ところで、公衆浴場においては、共同浴槽の湯を消毒、濾過しながら循環利用するにせよ、一定の水質を維持するためには共同浴槽へきれいな湯を補充しなければならない。一方、公衆浴場においても、一人で浴槽を利用し且つよりきれいな湯を使用したいという要望があり、共同浴槽とは別に、個人用浴槽を設置する傾向にある。そこで、資源の有効利用という観点から、個人用浴槽から排出される湯を共同浴槽で再利用することが考えられる。しかしながら、個人用浴槽から排出される湯は比較的少量であり、また、斯かる湯と共同浴槽で使用された湯とは水質にさほど差異がないため、設備費や運転コストを考慮すると、個人用浴槽の湯を敢えて再利用するに至っていない。
【０００５】
本発明は、上記の実情に鑑みてなされたものであり、その目的は、多数の入浴者が同時に利用する共同浴槽と一人の入浴者が利用する個別浴槽とが設置された浴場設備であって、個別浴槽に一層きれいな湯を供給でき且つ一層有効に水資源と熱を再利用できる浴場設備を提供することにある。
【課題を解決するための手段】
【０００６】
上記の課題を解決するため、本発明では、給湯ラインにより、原水槽の水を加熱して湯として共同浴槽へ供給し、循環ラインにより、共同浴槽から回収した湯に消毒、濾過処理を施してこれを再び共同浴槽へ還流すると共に、一層きれいな湯を個別浴槽に供給するため、第２の給湯ラインにより、原水槽の水から純水を製造し、これを加熱して湯として個別浴槽へ供給するようにした。そして、個別浴槽からは利用済みではあるが十分にきれいな湯が排出されるため、再利用ラインにより、個別浴槽から回収した湯に消毒、濾過処理を施してこれを共同浴槽へ供給するようにした。
【０００７】
すなわち、本発明の要旨は、多数の入浴者が同時に利用する共同浴槽と、一人の入浴者が利用する個別浴槽とが設置された浴場設備であって、原水槽から汲み上げた水を所定温度に加熱して湯として前記共同浴槽へ供給する給湯ラインと、前記共同浴槽から抜き出した利用済みの湯に消毒剤を添加し且つ当該湯を濾過して前記共同浴槽へ還流する循環ラインと、前記原水槽から汲み上げた水を純水製造装置によって純水に精製し且つ当該純水を所定温度に加熱して湯として前記個別浴槽へ供給する第２の給湯ラインと、前記個別浴槽から抜き出した利用済みの湯に消毒剤を添加し且つ当該湯を濾過して前記共同浴槽へ供給する再利用ラインとを備え、前記循環ライン及び再利用ラインには、濾過装置がそれぞれ配置され、前記濾過装置は、上部に被処理水の導入口が設けられ且つ下部に濾過水の排出口が設けられた容器本体と、当該容器本体に装入されて容器本体内部を上下に仕切る濾材収容篭とを備え、当該濾材収容篭の上半部には、格子構造の底部を各備えた２つの受皿が重箱状に積み重ねられた状態で収容され、上段側の第１の受皿には、第１のスポンジシートが濾材として敷かれ、下段側の第２の受皿には、前記第１のスポンジシートよりも低発泡の第２のスポンジシートが濾材として敷かれていることを特徴とする浴場設備に存する。
【発明の効果】
【０００８】
本発明の浴場設備によれば、第２の給湯ラインにより、純水を加熱して得られた一層きれいな湯を個別浴槽に供給でき、また、これにより個別浴槽からは十分にきれいな湯が排出されるため、再利用ラインにより、個別浴槽から抜き出した利用済みの湯を共同浴槽へ供給でき、水資源と熱を有効に再利用できる。
【図面の簡単な説明】
【０００９】
【図１】本発明に係る浴場設備の主要な構成を示すフロー図である。
【図２】循環ライン及び再利用ラインに使用される濾過装置を示す外観斜視図である。
【図３】図２の濾過装置の内部構造を示す縦断面図である。
【図４】図２及び図３の濾過装置に使用される濾材収容篭の構成を示す展開図である。
【図５】第２の給湯ラインに使用される純水製造装置の概要を示すフロー図である。
【発明を実施するための形態】
【００１０】
本発明に係る浴場設備の一実施形態を図面に基づいて説明する。本発明の浴場設備は、図１に示すように、多数の入浴者が同時に利用する共同浴槽３と、一人の入浴者が利用する個別浴槽７とが設置された設備であり、給湯ラインＡ、循環ラインＢ、第２の給湯ラインＣ及び再利用ラインＤから主として構成される。
【００１１】
給湯ラインＡは、原水槽１から汲み上げた水を所定温度に加熱して共同浴槽３へ湯として供給するラインであり、原水槽１から水を汲み上げる汲上げ管２０及びポンプ２１と、当該ポンプから配管２２を通じて供給された水を濾過する無撚糸フィルター２３と、当該無撚糸フィルターで濾過され且つ配管２４を通じて供給された水を加熱するボイラー２ａと、当該ボイラーで製造された湯が配管２５を通じて供給される熱交換器４と、当該熱交換器に通過させた湯を共同浴槽３へ供給する給湯管２６とから構成される。
【００１２】
原水槽１は、例えば貯水量１００〜５００トン程度の水槽であり、ポンプ（図示省略）で例えば井戸水を汲み上げると共に、フロートセンサーで当該原水槽の液面を検出して前記ポンプを制御することにより、常時、所定量の原水を貯蔵するようになされている。ポンプ２１は、原水槽１内に設置される水中ポンプでもよい。無撚糸フィルター２３は、平均直径１〜５０μｍの無撚糸の集合体をフィルターエレメントとして容器に充填したものであり、原水中のＳＳ成分や砂などの異物を除去するために配置される。無撚糸フィルター２３は複数設置されてもよく、その容器の全内容積は１０〜２００リットル程度に設計され、無撚糸の全充填量は０．５〜５０ｋｇ程度とされる。
【００１３】
ボイラー２ａとしては、例えば、熱媒体としての水がポンプで循環する循環路中に複数の伝熱パイプを配置し、バーナーで燃料ガスを燃焼させてその燃焼ガス及び排ガスを前記の伝熱パイプに通過させることにより、循環路中の熱媒体である水を加熱すると共に、前記の循環路に付設された熱交換器を介して、当該熱交換器に通水された水を二次加熱する構造の無圧ボイラーが使用される。給湯ラインＡにおいては、上記のようなボイラー２ａにより、無撚糸フィルター２３で濾過された常温の水を原料として、３５〜８０℃の湯を０．０１〜１ｍ３／分製造するように設計される。
【００１４】
熱交換器４は、ボイラー２ａで加熱された湯を使用し、後述する循環ラインＢの湯を昇温するために配置される。熱交換器４としては、例えば、肉厚０．１〜０．４ｍｍ、外径５．０〜５．５ｍｍのステンレス又はチタン製の細管を内径６０〜２００ｍｍ、長さ９００〜１８００ｍｍ程度の外套管の内部に多数挿通し、一方の流体を外套管の一端から他端に流し、他方の流体を細管の一端から他端に流すことにより、外套管側の流体と細管側の流体とで熱交換を行ういわゆる多管式熱交換器が使用される。給湯ラインＡにおいては、上記のような熱交換器４を使用し、ボイラー２ａで製造された湯の温度の温度を３０〜５０℃に調整するようになされている。なお、給湯管２６は、通常、熱交換器４で温度調節された湯を共同浴槽３の上部に注ぐように配置される。
【００１５】
共同浴槽３は、貯水量１０〜１００トン程度の浴槽本体３０と、当該浴槽本体の上縁部に切り欠いた構造に設けられたオーバフロー口３２と、浴槽本体３０に隣接して配置され且つオーバフロー口３２から溢れた湯を貯留する回収槽３１とを備えており、共同浴槽３に貯留された湯の水面部分が回収槽３１に溢れ出るように構成される。そして、回収槽３１に底部には、循環ラインＢの上流端としての抜出し管４０が接続される。なお、洗い場側には、共同浴槽３から床に溢れて排水ピットに流れ込んだ湯を系外に排出する排水管３３が設けられる。
【００１６】
循環ラインＢは、共同浴槽３から抜き出した利用済みの湯に消毒剤を添加し且つ当該湯を濾過して再び共同浴槽へ還流するラインであり、上記の回収槽３１の底部から湯を抜き出す抜出し管４０及びポンプ４２と、当該ポンプから配管４３を通じて供給された湯を濾過する濾過装置５ａと、配管４３を流れる湯に消毒剤を添加する消毒剤添加装置４１と、濾過装置５ａで濾過された湯が配管４４を通じて供給される前述の熱交換器４と、当該熱交換器に通過させた湯を共同浴槽３へ供給する給湯管４５とから構成される。
【００１７】
消毒剤添加装置４１は、塩素系消毒剤を湯に添加する装置であり、例えば、消毒剤として次亜塩素酸ナトリウムの１〜１２％水溶液を収容する貯蔵容器と、当該貯蔵容器に付設された注入ポンプと、当該注入ポンプから配管４３に繋ぎ込まれた消毒剤注入管と、当該消毒剤注入管よりも上流側の配管４３の湯を試料として抽出し且つ当該試料中の塩素濃度を検出する塩素濃度計とから構成され、注入ポンプは、塩素濃度計で検出された試料中の塩素濃度が設定値に満たない場合に作動するように構成される。循環ラインＢにおいては、消毒剤添加装置４１により、配管４３に流れる湯中の塩素濃度を略一定に保つことができる。
【００１８】
濾過装置５ａとしては、砂礫、珪藻土あるいは多孔質構造のセラミックが濾材として充填された従来公知の各種の濾過装置を使用することもできるが、保守管理の観点からは、濾材としてスポンジシートを使用した組立方式の装置が好ましい。図２〜図４は、好ましい態様の濾過装置５ａを示したものであり、斯かる濾過装置５ａは、図２及び図３に示すように、上部に被処理水の導入口（配管４３の接続口）が設けられ且つ下部に濾過水の排出口（配管４４の接続口）が設けられた容器本体５１と、当該容器本体に装入されて容器本体内部を上下に仕切る濾材収容篭５３とを備えている。
【００１９】
容器本体５１は、内容積が０．１〜０．４ｍ３程度の例えば直方体の箱状に構成される。容器本体５１の上端は、濾材収容篭５３を出し入れするために開口され、そお開口部は、防塵を図るために着脱可能な上蓋５２で封止される。また、図２に示すように、容器本体５１の側面部には、内部を点検するため、ガラス板または透明な樹脂板からなる覗き窓５１２が設けられる。上記の覗き窓５１２の設けられていない容器本体１の他の側面部には、濾材収容篭５３の内部に光を照射する白色ＬＥＤライト等の照明具５７が付設される。また、図３に示すように、容器本体５１の内壁上部には、濾材収容篭５３を吊持するため、一定の幅の張出片が掛止部５１ｃとして設けられる。
【００２０】
図４に示すように、濾材収容篭５３は、濾材（第１のスポンジシート５５１及び第２のスポンジシート５５２）を収容する容器であり、水平断面が例えば略長方形の有底筒状に形成される。濾材収容篭５３は、底部を含む下半部５３ａがパンチングメタルや金網などの多孔状の材料で構成され、上半部５３ｂがステンレス板などの非透水性の材料で構成される。また、図３に示すように、濾材収容篭５３は、後述する受皿５４（第２の受皿５４ｂ）を吊持するため、上半部５３ｂと下半部５３ａとの接合部が段差部に形成される。更に、濾材収容篭５３の上半部５３ｂの上端周縁には、前述の掛止部５１ｃ（図３参照）に引掛る一定の幅の張出片（鍔）５３ｃが設けられる。
【００２１】
図４に示すように、濾材収容篭５３の上半部５３ｂには、内部を観察するため、前述の容器本体５１の覗き窓５１２に対応する位置に、ガラス板または透明な樹脂板からなる覗き窓５３２が設けられる。また、濾材収容篭５３の上半部５３ｂの覗き窓５３２のない他の側面には、上記の照明具５７の光を透過するため、ガラス板または透明な樹脂板からなる投光用窓５３３が設けられる。なお、符号５３１は、容器本体５１に濾材収容篭５３を出し入れするための把手を示す。
【００２２】
また、図３に示すように、濾材収容篭５３には、同一形状で且つ同一寸法の２つの受皿５４（第１の受皿５４ａ及び第２の受皿５４ｂ）が重箱状に積み重ねられた状態で上方から出し入れ可能に収容される。各受皿５４は、濾材（第１のスポンジシート５５１と第２のスポンジシート５５２）を収容すると共に、第１のスポンジシート５５１と第２のスポンジシート５５２の間に隙間を形成して被処理水を均一に透過させるために配置される。受皿５４の受皿本体（濾材を収容する上側部分）は、濾材収容篭５３の上半部５３ｂの内周部に緩く嵌合する浅皿状に構成され、その底部は、格子または目開きの大きな網からなる格子構造を備えている。
【００２３】
各受皿５４の１つの側面及びこれと平行な他の側面の略中央部には、濾材の状態や湯の濁度を観察するため、前述の濾材収容篭５３の覗き窓５３２に対応する位置に、ガラス板または透明な樹脂板からなる濾材点検用窓５４２が設けられる。各受皿５４の濾材点検用窓５４２の設けられていない側面には、照明具５７の光を導入するため、ガラス板または透明な樹脂板からなる採光用窓５４３が設けられる。
【００２４】
各受皿５４の下端側（受皿本体の底部の下側）には、受皿本体の内周部に嵌合するスカート部５４１が設けられる。上段の第１の受皿５４ａのスカート部５４１は、下段側の第２の受皿５４ｂの受皿本体に対する嵌合部として機能し、これにより、受皿５４同士は、上下に積み重ねることができる。そして、第１の受皿５４ａのスカート部５４１は、下段の第２の受皿５４ｂに敷かれた濾材（第２のスポンジシート５５２）の周縁を押えて当該濾材の遊動を規制する。従って、上下に受皿５４を重ねた場合には、濾材（第２のスポンジシート５５２）の水流による変形を防止できる。
【００２５】
一方、下段の第２の受皿５４ｂのスカート部５４１は、濾材収容篭５３の下半部５３ａの内側に勘合するようになされている。従って、図３に示すように、第２の受皿５４ｂを装入した場合には、濾材収容篭５３の下半部５３ａと上半部５３ｂの前述の段差部分に対して、受皿５４の底部とスカート部５４１との段差部分が引掛り、その結果、濾材収容篭５３内で第２の受皿５４ｂを吊持することができる。なお、第１の受皿５４ａを第２の受皿５４ｂに積み重ねた際、下段の第２の受皿５４ｂの濾材点検用窓５４２及び採光用窓５４３が塞がれないように、スカート部５４１は、濾材点検用窓５４２及び採光用窓５４３に対応する各部位が開口されている。
【００２６】
図３及び図４に示すように、上段側の第１の受皿５４ａには、第１のスポンジシート５５１が収められ、下段側の第２の受皿５４ｂには、第１のスポンジシート５５１よりも目の細かい、すなわち、低発泡の第２のスポンジシート５５２が収められる。第１のスポンジシート５５１は、湯中の比較的大きな異物、具体的には毛髪、タオル等の糸くず、皮膚片などを除去するための濾材であり、第２のスポンジシート５５２は、湯中の更に小さな異物、具体的には垢、滑り、濁り等を除去するための濾材である。
【００２７】
上記のスポンジシート５５１，５５２としては、ポリウレタン、塩化ビニル、ポリエチレン等の各種合成樹脂からなる伸張性および通水性に優れたスポンジシートが使用される。第１のスポンジシート５５１の嵩密度は３０〜６０ｋｇ／ｍ３程度、第２のスポンジシート５５２の嵩密度は５０〜８０ｋｇ／ｍ３程度であり、各スポンジシート５５１，５５２の厚さ（吸水していない常態厚さ）は３〜１０ｍｍ程度である。第１のスポンジシート５５１及び第２のスポンジシート５５２の密度を上記の範囲に設定し、捕捉する異物を大きさで区別することにより、濾過機能および耐久性を高め、かつ、処理流量を十分に確保することができる。
【００２８】
また、第１の受皿５４ａには、多孔構造の蓋５６が落し蓋として第１のスポンジシート５５１を被う状態で収容される。蓋５６は、パンチングメタル又は金網などにより浅い逆椀型状に構成される。蓋５６は、第１の受皿５４ａに敷かれた第１のスポンジシート５５１の周縁を押え、当該スポンジシートの水流による遊動を規制し且つ変形を防止し、また、比較的大きな異物、具体的には包装容器、包装容器の蓋、包装袋、紙片などの濾材収容篭５３への流入を抑制し、第１のスポンジシート５５１が閉塞するのを防止する。
【００２９】
上記の濾過装置５ａを組み立てる場合には、第１のスポンジシート５５１及び第２のスポンジシート５５２が各敷かれた第１の受皿５４ａ及び第２の受皿５４ｂを積み重ねた状態で濾材収容篭５３に納め、第１の受皿５４ａに蓋５６を落し込み、斯かる濾材収容篭５３を容器本体５１内に配置し、そして、容器本体５１に上蓋５２を被せる。組み立てられた濾過装置５ａにおいては、循環ラインＢの稼働により、共同浴槽３から回収された湯が導被処理水として入口（配管４３）から流入し、濾材収容篭５３を通過して濾過された濾過水が排出口（配管４４）から排出される。
【００３０】
一方、日常点検においては、容器本体５１の側面部の覗き窓５１２、濾材収容篭５３の上半部５３ｂの覗き窓５３２ならびに第１の受皿５４ａ及び第２の受皿５４ｂの各濾材点検用窓５４２を通じて、第１のスポンジシート５５１の表面および第２のスポンジシート５５２の表面を観察でき、それらの劣化状態を簡単に確認できる。特に、照明具５７で各受皿５４の内部を照すことにより、設置場所に拘わらず、濾材の劣化状態や濾材の上側（上流側）の湯の濁度を確実に視認できる。そして、濾材の劣化が確認された場合には、容器本体５１の上蓋５２を外し、容器本体５１から濾材収容篭５３を引き上げるようにして取り出し、蓋５６、第１の受皿５４ａ、第２の受皿５４ｂを濾材収容篭５３から取り出すことにより、第１のスポンジシート５５１及び第２のスポンジシート５５２を簡単に交換でき、また、濾材収容篭５３、第１の受皿５４ａ、第２の受皿５４ｂ、蓋５６をそれぞれに洗浄できる。
【００３１】
上記のような濾過装置５ａを使用した場合には、砂礫などを濾材として使用した従来型の濾過装置に比べ、濾材の汚れ具合を直ちに確認でき、かつ、濾材の交換が極めて容易であり、共同浴槽３の水質をより清浄な状態に保つことができる。なお、濾過装置５ａは、処理量に応じて複数基を並列に配置して使用してもよく、また、容器本体５１の下部および上部にそれぞれ水の導入口と排出口を設け且つ流路の切替手段を設けることにより、濾材を逆洗浄するように構成されてもよい。
【００３２】
循環ラインＢにおいては、濾過装置５ａで濾過された湯が熱交換器４に供給されるようになされている。すなわち、本発明の浴場設備では、給湯ラインＡにおいて、原水槽１のから汲み上げてボイラー２ａで予め３５〜８０℃まで加熱された湯を熱交換器４に通水し、循環ラインＢにおいて、共同浴槽３から回収された例えば２０〜４５℃の湯を熱交換器４に通水することにより、熱交換器４において熱交換を行い、給湯ラインＡの給湯管２６及び循環ラインＢの給湯管４５からそれぞれ３０〜５０℃の湯を共同浴槽３に供給するようになされている。これにより、１基のボイラー２ａで循環ラインＢの湯も加熱することができる。なお、循環ラインＢの給湯管４５は、通常、熱交換器４で温度調節された湯を共同浴槽３の底部側に供給するように接続される。
【００３３】
第２の給湯ラインＣは、原水槽１から汲み上げた水を純水製造装置６によって純水に精製し且つ当該純水を所定温度に加熱して個別浴槽７へ湯として供給するラインであり、原水槽１から水を汲み上げる汲上げ管６０及びポンプ６１と、当該ポンプから配管６２を通じて供給された水を濾過して純水を製造する純水製造装置６と、当該純水製造装置で得られ且つ配管６３を通じて供給された純水を貯留する純水貯槽６４と、当該純水貯槽の純水を取り出す配管６５及びポンプ６６と、当該ポンプから配管６７を通じて供給された純水を加熱するボイラー２ｂと、当該ボイラーで製造された湯を個別浴槽７へ供給する給湯管６８とから構成される。なお、ポンプ６１は、原水槽１内に設置される水中ポンプでもよい。
【００３４】
純水製造装置６としては、逆浸透膜を利用した濾過装置が使用される。逆浸透膜を利用した純水製造装置の基本的な構造は周知であり、純水製造装置６は、例えば、図５に示すように、殺菌用の塩素添加装置６０１と、無撚糸フィルター６０２、活性炭フィルター６０３及びガードフィルター６０４を順次配置してなる前処理装置と、逆浸透膜モジュール６０６とから主として構成される。
【００３５】
塩素添加装置６０１は、例えば粒状の塩を収容する容器、当該容器に付設された定量ポンプ（図示省略）、および、前記の容器から配管６２に繋ぎ込まれた注入管などから構成され、定量ポンプによって微量の水を容器に供給することにより、容器内の塩を溶解し、注入管を通じて、配管６２中の原水に塩素成分を添加するようになされている。無撚糸フィルター６０２は、平均直径０．５〜１０μｍの無撚糸の集合体をフィルターエレメントとして容器に充填したものであり、原水中のＳＳ成分や砂などの異物を除去するために配置される。無撚糸フィルター６０２は複数設置されてもよく、その容器の全内容積は１０〜２００リットル程度、無撚糸の全充填量は０．５〜５０ｋｇ程度である。
【００３６】
活性炭フィルター６０３は、平均粒径４〜６０ｍｍの活性炭を容器に収容して構成され、原水中の残留塩素を除去するために配置される。活性炭フィルター６０３の容器の内容積は０．０１〜２ｍ３程度、活性炭の充填量は５〜１０００ｋｇ程度である。また、ガードフィルター６０４は、平均粒径４〜６０ｍｍの活性炭を容器に充填して構成され、原水中の更に微細な微粒子を除去し、逆浸透膜モジュール６０６を保護するために配置される。ガードフィルター６０４の容器の内容積は１０〜２００リットル程度、活性炭の充填量は０．５〜５０ｋｇ程度である。なお、活性炭フィルター６０３、ガードフィルター６０４に代えて、カーボンフィルターを使用することもできる。
【００３７】
逆浸透膜モジュール６０６は、原水中に含まれる食塩などの電解質およびシリカ成分や硬度成分などの難溶解性物質の浸透を逆浸透膜（ＲＯ）で阻止し且つ水分のみを透過させることにより、脱塩処理された透過水と濃縮水とに原水を分離するものであり、逆浸透膜と当該逆浸透膜により区分された２つの領域、すなわち、処理すべき水が供給される供給水領域ならびに分離された透過水を集約する透過水領域とから構成される。逆浸透膜の素材としては、酢酸セルロース系、ポリアミド系、架橋ポリアミン系、架橋ポリエーテル系、スルホン化ポリスルホン等の素材が挙げられる。また、膜エレメントの構造としては、スパイラル型、中空糸型、チューブラー型などが挙げられる。
【００３８】
上記の純水製造装置６においては、前述のポンプ６１により配管６２を通じて供給された原水に塩素添加装置６０１で塩素成分を添加した後、斯かる原水が無撚糸フィルター６０２に供給される。無撚糸フィルター６０２で濾過された濾過水は、管路６１１を通じて活性炭フィルター６０３に供給され、無撚糸フィルター６０２で分離された濃縮水は、管路６１９，６２６を通じて系外に排出される。活性炭フィルター６０３で濾過された濾過水は、管路６１２を通じて砂濾過器６０４に供給され、活性炭フィルター６０３で分離された濃縮水は、管路６１９，６２６を通じて系外に排出される。更に、ガードフィルター６０４で濾過された濾過水は、管路６１３及び管路６１７及び昇圧用のポンプ６０５並びに管路６１８を通じて逆浸透膜モジュール６０６に供給される。ガードフィルター６０４で分離された濃縮水は、上記と同様に、管路６１９，６２６を通じて系外に排出される。
【００３９】
逆浸透膜モジュール６０６においては、逆浸透膜を透過させて塩類やその他の不純物、細菌類が完全に除去された純水を精製する。逆浸透膜モジュール６０６で得られた純水は、管路６２０から取り出され、配管６３を通じて純水貯槽６４へ供給される。また、逆浸透膜モジュール６０６で分離された濃縮水は、管路６２３及び上記の管路６２６を通じて系外に排出される。第２の給湯ラインＣにおいては、上記の純水製造装置６を使用し、電気伝導率０．１５〜１５Ｓ／ｍの純水または不純物濃度０．１〜１０ｐｐｍの純水、好ましくは電気伝導率０．１５〜０．８０Ｓ／ｍの純水または不純物濃度０．１〜０．５ｐｐｍの純水を製造するようになされている。図５中、符号６１４，６２４は電磁弁、符号６２１，６２５は逆止弁を示し、符号６１６，６２２は、水の電気伝導度を測定する水質計を示す。
【００４０】
純水貯槽６４は、純水製造装置６で製造された純水を貯留する貯水量１〜５トン程度の水槽であり、フロートセンサーで液面を検出して前述の純水製造装置６の稼働を制御することにより、常時、所定量の純水を貯蔵するようになされている。ボイラー２ｂは、前述の給湯ラインＡのボイラー２ａと同様の無圧ボイラーであり、純水貯槽６４から供給される常温の純水を原料として、３５〜８０℃の湯を０．０１〜１ｍ３／分製造するように設計される。なお、給湯管６８は、通常、個別浴槽７の上部または当該個別浴槽に付設された蛇口に接続され、また、個別浴槽７に取り付けられたシャワーに接続される。
【００４１】
個別浴槽７は、例えば１〜１０基設置される。個別浴槽７としては、浸透力の強い上記の純水を使用するため、漏水を防止する観点から、通常はＦＲＰ成形された槽が使用される。個別浴槽７の形状は、適宜の形状に設計できるが、１回の入浴ごとに湯を交換するため、効率的な水利用と省エネルギー化を図る観点から、個別浴槽７の大きさは、通常、幅６５〜７５ｃｍ程度、長さ９０〜１２０ｃｍ程度、深さ５０〜６０ｃｍ程度に設計される。なお、洗い場側には、個別浴槽７から床に溢れて排水ピットに流れ込んだ湯を系外に排出する排水管７１が設けられる。
【００４２】
再利用ラインＤは、上記の個別浴槽７から抜き出した利用済みの湯に消毒剤を添加し且つ当該湯を濾過して共同浴槽３へ供給するラインであり、個別浴槽７の底部から湯を抜き出す抜出し管８０及びポンプ８２と、当該ポンプから配管８３を通じて供給された湯を濾過する濾過装置５ｂと、配管８３を流れる湯に消毒剤を添加する消毒剤添加装置８１と、濾過装置５ｂで濾過され且つ配管８４を通じて供給された湯を貯留する中継貯槽８５と、当該中継貯槽の湯を汲み上げる汲上げ管８６及びポンプ８８と、当該ポンプにより送液される湯を前述の循環ラインＢに供給する配管８９とから構成される。
【００４３】
消毒剤添加装置８１は、前述の循環ラインＢの消毒剤添加装置４１と同様の装置であり、次亜塩素酸ナトリウム水溶液の貯蔵容器、塩素注入配管、注入ポンプ、塩素濃度計とから構成される。また、濾過装置５ｂとしては、前述の循環ラインＢの濾過装置５ａと同様の図２〜図４に示す装置が使用される。
【００４４】
すなわち、濾過装置５ｂは、上部に被処理水の導入口が設けられ且つ下部に濾過水の排出口が設けられた容器本体５１と、当該容器本体に装入されて容器本体内部を上下に仕切る濾材収容篭５３とを備え、当該濾材収容篭の上半部には、格子構造の底部を各備えた２つの受皿５４が重箱状に積み重ねられた状態で収容され、上段側の第１の受皿５４ａには、第１のスポンジシート５５１が濾材として敷かれ、下段側の第２の受皿５４ｂには、第１のスポンジシート５５１よりも低発泡の第２のスポンジシート５５２が濾材として敷かれている。上記の濾過装置５ｂにおいては、濾材の劣化状態や湯の濁度を確実に視認でき、濾材が汚れた場合には、簡単に濾材を交換でき且つ部品を洗浄できる。
【００４５】
中継貯槽８５は、個別浴槽７から回収され且つ上記の濾過装置５ｂで濾過された湯を一時的に貯留する貯水量０．５〜３トン程度の断熱水槽である。また、中継貯槽８５から湯を汲み出すポンプ８８は、当該中継貯槽の湯の液面をフロートセンサーで検出し、湯の貯蔵量が予め設定された下限量以上の場合に稼働するようになされている。なお、中継貯槽８５においては、湯の貯蔵量が上限量を超える場合は、上部に設けられたホーバーフロー管（図示省略）から系外に排出されるように構成される。また、図１に示すように、汲上げ管８６には、湯中のＳＳ成分や砂などの異物を除去するため、中空糸をフィルターエレメントとして容器に充填してなる中空糸膜フィルター８７が介装されいてもよい。
【００４６】
本発明においては、中継貯槽８５に蓄えられた利用済みの湯を共同浴槽３で使用するため、中継貯槽８５から湯を汲み上げるポンプ８８の吐出側の配管８９は、前述の循環ラインＢの濾過装置５ａの下流側の配管４４に接続される。すなわち、再利用ラインＤは、熱交換器４よりも上流側で循環ラインＢに繋ぎ込まれる。これにより、個別浴槽７から排出される湯と熱を共同浴槽３において有効に再利用できる。
【００４７】
次に、本発明の浴場設備の運転方法について説明する。本発明の浴場設備においては、給湯ラインＡで湯を製造して共同浴槽３に供給し、循環ラインＢにより共同浴槽３の湯を循環させると共に、第２の給湯ラインＣで純水を製造し且つ当該純水から湯を製造して個別浴槽７に供給し、そして、再利用ラインＤにより個別浴槽７の湯を個別浴槽７で再利用する。
【００４８】
具体的には、給湯ラインＡにおいては、汲上げ管２０、ポンプ２１及び配管２２を通じて原水槽１から原水を汲み上げ、無撚糸フィルター２３で濾過することにより、原水中のＳＳ成分や砂などの異物を除去する。次いで、濾過した水を配管２４からボイラー２ａに供給し、これを加熱して例えば８０℃の湯を製造する。得られた湯は、配管２５を通じて熱交換器４に通水し、循環ラインＢの湯に熱の一部を放出することにより、湯の温度を例えば５０℃に調節する。そして、斯かる湯を給湯管２６から共同浴槽３に供給する。共同浴槽３に最初に湯を満たした後は、共同浴槽３への湯の供給量を利用者数に応じてある程度絞り、一定流量の湯を共同浴槽３に供給する。
【００４９】
また、循環ラインＢにおいては、抜出し管４０、ポンプ４２及び配管４３を通じて共同浴槽３から利用済みの湯を抜き出すと共に、消毒剤添加装置４１により消毒剤を所定流量で配管４３の湯に添加する。次いで、斯かる湯を濾過装置５ａに供給して濾過処理を行う。濾過装置５ａにおいては、濾材である第１のスポンジシート５５１及び第２のスポンジシート５５２により、湯中の表皮などの異物を除去する。濾過された湯は、配管４４を通じて熱交換器４に通水し、上記の給湯ラインＡの湯との熱交換により、湯の温度を例えば５０℃に調節する。そして、斯かる湯を給湯管４５から共同浴槽３に供給する。
【００５０】
一方、第２の給湯ラインＣにおいては、汲上げ管６０、ポンプ６１及び配管６２を通じて原水槽１から原水を汲み上げ、これを純水製造装置６に供給する。純水製造装置６においては、配管６２から供給される原水に塩素添加装置６０１によって塩素を添加して滅菌処理を施した後、無撚糸フィルター６０２、活性炭フィルター６０３及びガードフィルター６０４によって順次に濾過することにより、原水中のＳＳ成分や砂などの異物を除去する。濾過された水は、ポンプ６０５で昇圧して逆浸透膜モジュール６０６に供給し、電解質やシリカ成分を除去して純水に精製する。次いで、得られた純水は、配管６３を通じて純水貯槽６４に一旦貯蔵する。純水貯槽６４の純水は、必要に応じて、配管６５及びポンプ６６を通じて汲み上げ、配管６７を通じてボイラー２ｂに供給し、当該ボイラーで加熱して例えば５０℃の湯を製造する。そして、斯かる湯を給湯管６８から個別浴槽７に供給する。
【００５１】
また、再利用ラインＤにおいては、使用後の個別浴槽７から抜出し管８０、ポンプ８２及び配管８３を通じて利用済みの湯を抜き出すと共に、消毒剤添加装置８１により配管８３の湯に消毒剤を添加する。次いで、斯かる湯を濾過装置５ｂに供給して濾過処理を行う。濾過装置５ｂにおいては、上記の濾過装置５ａと同様に、濾材である第１のスポンジシート５５１及び第２のスポンジシート５５２により、湯中の表皮などの異物を除去する。濾過された湯は、配管８４を通じて中継貯槽８５に一旦貯蔵する。中継貯槽８５の湯は、汲上げ管８６及びポンプ８８を通じて汲み上げると共に、中空糸膜フィルター８７で異物を除去した後、配管８９を通じて循環ラインＢの配管４４へ送液することにより、循環ラインＢの湯に混合して共同浴槽３において再利用する。
【００５２】
上記のように、本発明の浴場設備では、給湯ラインＡにより、原水槽１の水を加熱して湯として共同浴槽３へ供給し、循環ラインＢにより、共同浴槽３から回収した湯に消毒、濾過処理を施してこれを再び共同浴槽３へ還流する一方、第２の給湯ラインＣにより、原水槽１の水から純水を製造し、これを加熱して一層きれいな湯として個別浴槽７へ供給すると共に、再利用ラインＤにより、個別浴槽７から排出される利用済みではあるが十分にきれいな湯を回収し、斯かる湯に消毒、濾過処理を施して循環ラインＢから共同浴槽３へ供給する。従って、本発明の浴場設備によれば、第２の給湯ラインＣにより、一層きれいな湯を個別浴槽７に供給でき、また、これにより個別浴槽７からは十分にきれいな湯が排出されるため、再利用ラインＤにより、個別浴槽７で利用済みの湯を共同浴槽３へ供給でき、その結果、水資源と熱を有効に再利用することができる。
【符号の説明】
【００５３】
１    ：原水槽
２ａ  ：ボイラー
２ｂ  ：ボイラー
２３  ：無撚糸フィルター
３    ：共同浴槽
３０  ：浴槽本体
３１  ：回収槽
４    ：熱交換器
４１  ：消毒剤添加装置
５ａ  ：濾過装置
５ｂ  ：濾過装置
５１  ：容器本体
５１２：覗き窓
５３  ：濾材収容篭
５４  ：受皿
５４ａ：第１の受皿
５４ｂ：第２の受皿
５５１：第１のスポンジシート（濾材）
５５２：第２のスポンジシート（濾材）
５７  ：照明具
６    ：純水製造装置
６０１：塩素添加装置
６０２：無撚糸フィルター
６０３：活性炭フィルター
６０４：ガードフィルター
６０６：逆浸透膜モジュール
６４  ：純水貯槽
７    ：個別浴槽
８１  ：消毒剤添加装置
８５  ：中継貯槽
８７  ：中空糸膜フィルター
Ａ    ：給湯ライン
Ｂ    ：循環ライン
Ｃ    ：第２の給湯ライン
Ｄ    ：再利用ライン
【図１】
0005757461.tif 000002
【図２】
0005757461.tif 000003
【図３】
0005757461.tif 000004
【図４】
0005757461.tif 000005
【図５】
0005757461.tif 000006